(57)【要約】【課題】バッテリの充電を行わない場合であっても、携帯端末により目的地まで経路案内を継続できる機会を増加させることのできる経路案内装置を提供する。【解決手段】経路案内装置は、バッテリ３７の電力で稼動され、目的地までの経路案内及び経路案内とは異なる機能による通信を行うことができる携帯端末３０と、携帯端末３０が経路案内及び上記通信を行っている状態において、目的地まで経路案内を行う間にバッテリ３７の残容量が所定容量よりも少なくなるか否か判定する第１判定部３６ｂと、携帯端末３０が経路案内を行い且つ上記通信を行わないと仮定して、目的地まで経路案内を行う間にバッテリ３７の残容量が上記所定容量よりも少なくなるか否か判定する第２判定部３６ｃと、第１判定部３６ｂにより肯定判定され且つ第２判定部３６ｃにより否定判定された場合に、上記通信に関する所定の報知を行わせる報知部３６ｄと、を備える。【選択図】      図１
2014109513.tif 000002
【特許請求の範囲】
【請求項１】
バッテリ（３７）の電力で稼動され、目的地までの経路案内及び前記経路案内とは異なる機能による通信を行うことができる携帯端末（３０）と、
前記携帯端末が前記経路案内及び前記通信を行っている状態において、前記目的地まで経路案内を行う間に前記バッテリの残容量が所定容量よりも少なくなるか否か判定する第１判定部（３６ｂ）と、
前記携帯端末が前記経路案内を行い且つ前記通信を行わないと仮定して、前記目的地まで経路案内を行う間に前記バッテリの残容量が前記所定容量よりも少なくなるか否か判定する第２判定部（３６ｃ）と、
前記第１判定部により肯定判定され且つ前記第２判定部により否定判定された場合に、前記通信に関する所定の報知を行わせる報知部（３６ｄ）と、
を備える経路案内装置。
【請求項２】
前記第１判定部により肯定判定され且つ前記第２判定部により否定判定された場合に、前記経路案内とは異なる機能による通信を停止させる機能制御部（３６ｅ）を備える請求項１に記載の経路案内装置。
【請求項３】
前記機能制御部は、前記第１判定部により肯定判定され且つ前記第２判定部により否定判定された場合に、前記経路案内とは異なる機能による通信、及び前記通信を行っている前記経路案内とは異なる前記機能を停止させる請求項２に記載の経路案内装置。
【請求項４】
前記報知部は、前記機能制御部により前記経路案内とは異なる機能による通信が停止された場合に、前記通信の停止により実行できなくなった機能を報知させる請求項２又は３に記載の経路案内装置。
【請求項５】
前記機能制御部は、前記携帯端末による前記目的地までの経路案内が終了した場合に、前記通信の停止を解除する請求項２〜４のいずれか1項に記載の経路案内装置。
【請求項６】
前記機能制御部は、前記携帯端末による前記目的地までの経路案内が終了した場合に、前記通信の停止により実行できなくなった機能を再開させる請求項２〜５のいずれか１項に記載の経路案内装置。
【請求項７】
前記携帯端末は、前記経路案内とは異なる機能による通信を、車両に搭載された車載機器と行う請求項１〜６のいずれか１項に記載の経路案内装置。
【請求項８】
前記携帯端末及び前記車両は、それぞれＧＰＳ受信機（３５ａ，１５ａ）を備えており、
前記携帯端末の前記ＧＰＳ受信機を停止させ、前記車両の前記ＧＰＳ受信機からの信号に基づいて、前記携帯端末により前記経路案内を行わせるＧＰＳ切替部（３６ｆ）を備える請求項７に記載の経路案内装置。
【請求項９】
前記携帯端末は、前記経路案内において次に曲がる地点までの距離が所定距離よりも長い場合に、経路の表示を停止させて音声により経路案内を行う請求項１〜８のいずれか１項に記載の経路案内装置。
【請求項１０】
バッテリ（３７）の電力で稼動され、目的地までの経路案内及び前記経路案内とは異なる機能による通信を行うことができる携帯端末（３０）と、車載機器（１０）とを備える経路案内装置において、前記車載機器にインストールされるコンピュータプログラムであって、
前記携帯端末が前記経路案内及び前記通信を行っている状態において、前記目的地まで経路案内を行う間に前記バッテリの残容量が所定容量よりも少なくなるか否か判定する第１判定機能と、
前記携帯端末が前記経路案内を行い且つ前記通信を行わないと仮定して、前記目的地まで経路案内を行う間に前記バッテリの残容量が前記所定容量よりも少なくなるか否か判定する第２判定機能と、
前記第１判定機能により肯定判定され且つ前記第２判定機能により否定判定された場合に、前記通信に関する所定の報知を行わせる報知機能と、
を前記車載機器に実現させることを特徴とするコンピュータプログラム。
【請求項１１】
バッテリ（３７）の電力で稼動され、目的地までの経路案内及び前記経路案内とは異なる機能による通信を行うことができる携帯端末（３０）、にインストールされるコンピュータプログラムであって、
前記携帯端末が前記経路案内及び前記通信を行っている状態において、前記目的地まで経路案内を行う間に前記バッテリの残容量が所定容量よりも少なくなるか否か判定する第１判定機能と、
前記携帯端末が前記経路案内を行い且つ前記通信を行わないと仮定して、前記目的地まで経路案内を行う間に前記バッテリの残容量が前記所定容量よりも少なくなるか否か判定する第２判定機能と、
前記第１判定機能により肯定判定され且つ前記第２判定機能により否定判定された場合に、前記通信に関する所定の報知を行わせる報知機能と、
を前記携帯端末に実現させることを特徴とするコンピュータプログラム。
【請求項１２】
バッテリ（３７）の電力で稼動され、目的地までの経路案内及び前記経路案内とは異なる機能による通信を行うことができる携帯端末（３０）と、通信ネットワークに接続されたサーバ（５０）とを備える経路案内装置において、前記サーバにインストールされるコンピュータプログラムであって、
前記携帯端末が前記経路案内及び前記通信を行っている状態において、前記目的地まで経路案内を行う間に前記バッテリの残容量が所定容量よりも少なくなるか否か判定する第１判定機能と、
前記携帯端末が前記経路案内を行い且つ前記通信を行わないと仮定して、前記目的地まで経路案内を行う間に前記バッテリの残容量が前記所定容量よりも少なくなるか否か判定する第２判定機能と、
前記第１判定機能により肯定判定され且つ前記第２判定機能により否定判定された場合に、前記通信に関する所定の報知を行わせる報知機能と、
を前記サーバに実現させることを特徴とするコンピュータプログラム。
【発明の詳細な説明】
【技術分野】
【０００１】
本発明は、バッテリの電力で稼動され、目的地までの経路案内及び経路案内とは異なる機能による通信を行うことができる携帯端末、を備える経路案内装置、及びその機能を実現させるコンピュータプログラムに関する。
【背景技術】
【０００２】
従来、この種の経路案内装置において、目的地到着予想時刻までにバッテリの残容量が所定レベル以下に低下すると判定した場合に、携帯端末を車載装置に有線接続してバッテリの充電を開始することを推奨するものがある（例えば、特許文献１参照）。
【先行技術文献】
【特許文献】
【０００３】
【特許文献１】特開２０１１−１６９６３２号公報
【発明の概要】
【発明が解決しようとする課題】
【０００４】
しかしながら、バッテリを充電することができない状況や、バッテリを充電することを使用者が煩わしいと感じる状況もある。特許文献１に記載のものでは、これらの状況に対処することができない。
【０００５】
本発明は、こうした課題を解決するためになされたものであり、その主たる目的は、バッテリの充電を行わない場合であっても、携帯端末により目的地まで経路案内を継続できる機会を増加させることのできる経路案内装置、及びその機能を実現させるコンピュータプログラムを提供することにある。
【課題を解決するための手段】
【０００６】
請求項１に記載の発明は、経路案内装置であって、バッテリ（３７）の電力で稼動され、目的地までの経路案内及び前記経路案内とは異なる機能による通信を行うことができる携帯端末（３０）と、前記携帯端末が前記経路案内及び前記通信を行っている状態において、前記目的地まで経路案内を行う間に前記バッテリの残容量が所定容量よりも少なくなるか否か判定する第１判定部（３６ｂ）と、前記携帯端末が前記経路案内を行い且つ前記通信を行わないと仮定して、前記目的地まで経路案内を行う間に前記バッテリの残容量が前記所定容量よりも少なくなるか否か判定する第２判定部（３６ｃ）と、前記第１判定部により肯定判定され且つ前記第２判定部により否定判定された場合に、前記通信に関する所定の報知を行わせる報知部（３６ｄ）と、を備える。
【０００７】
上記構成によれば、携帯端末は、バッテリの電力で稼動され、目的地までの経路案内及び経路案内とは異なる機能による通信を行うことができる。経路案内とは異なる機能による通信として、例えば音楽機器との通信や、インターネットの動画を視聴するための通信、メールの送受信等がある。ここで、第１判定部により、携帯端末が経路案内及び経路案内とは異なる機能による通信を行っている状態において、目的地まで経路案内を行う間にバッテリの残容量が所定容量よりも少なくなるか否か判定される。また、第２判定部により、携帯端末が経路案内を行い且つ上記通信を行わないと仮定して、目的地まで経路案内を行う間にバッテリの残容量が上記所定容量よりも少なくなるか否か判定される。
【０００８】
そして、第１判定部により肯定判定され且つ第２判定部により否定判定された場合に、経路案内とは異なる機能による通信に関する所定の報知、例えば通信を停止させれば目的地までの経路案内が可能であることの報知や、通信を停止させたことの報知等が行われる。このため、目的地までの経路案内を行う間に、上記通信を継続するとバッテリ残容量が所定容量よりも少なくなり、上記通信を停止するとバッテリ残容量が所定容量よりも少なくならない場合に、その状況を使用者に知らせることができる。したがって、使用者は、バッテリの充電を行わない場合であっても、経路案内とは異なる機能による通信を停止させる処置を行って、携帯端末により目的地まで経路案内を継続させることができる。
【０００９】
なお、第１判定部、第２判定部、及び報知部は、車載機器、携帯端末、及び通信ネットワークに接続されたサーバのいずれか、或いはそれらの組み合わせにより構成することができる。
【００１０】
請求項１０に記載の発明は、バッテリ（３７）の電力で稼動され、目的地までの経路案内及び前記経路案内とは異なる機能による通信を行うことができる携帯端末（３０）と、車載機器（１０）とを備える経路案内装置において、前記車載機器にインストールされるコンピュータプログラムであって、前記携帯端末が前記経路案内及び前記通信を行っている状態において、前記目的地まで経路案内を行う間に前記バッテリの残容量が所定容量よりも少なくなるか否か判定する第１判定機能と、前記携帯端末が前記経路案内を行い且つ前記通信を行わないと仮定して、前記目的地まで経路案内を行う間に前記バッテリの残容量が前記所定容量よりも少なくなるか否か判定する第２判定機能と、前記第１判定機能により肯定判定され且つ前記第２判定機能により否定判定された場合に、前記通信に関する所定の報知を行わせる報知機能と、を前記車載機器に実現させることを特徴とする。
【００１１】
上記構成によれば、車載機器にインストールされるコンピュータプログラムによって、請求項１に記載の発明と同様の作用効果を奏することができる。
【００１２】
請求項１１に記載の発明は、バッテリ（３７）の電力で稼動され、目的地までの経路案内及び前記経路案内とは異なる機能による通信を行うことができる携帯端末（３０）、にインストールされるコンピュータプログラムであって、前記携帯端末が前記経路案内及び前記通信を行っている状態において、前記目的地まで経路案内を行う間に前記バッテリの残容量が所定容量よりも少なくなるか否か判定する第１判定機能と、前記携帯端末が前記経路案内を行い且つ前記通信を行わないと仮定して、前記目的地まで経路案内を行う間に前記バッテリの残容量が前記所定容量よりも少なくなるか否か判定する第２判定機能と、前記第１判定機能により肯定判定され且つ前記第２判定機能により否定判定された場合に、前記通信に関する所定の報知を行わせる報知機能と、を前記携帯端末に実現させることを特徴とする。
【００１３】
上記構成によれば、携帯端末にインストールされるコンピュータプログラムによって、請求項１に記載の発明と同様の作用効果を奏することができる。
【００１４】
請求項１２に記載の発明は、バッテリ（３７）の電力で稼動され、目的地までの経路案内及び前記経路案内とは異なる機能による通信を行うことができる携帯端末（３０）と、通信ネットワークに接続されたサーバ（５０）とを備える経路案内装置において、前記サーバにインストールされるコンピュータプログラムであって、前記携帯端末が前記経路案内及び前記通信を行っている状態において、前記目的地まで経路案内を行う間に前記バッテリの残容量が所定容量よりも少なくなるか否か判定する第１判定機能と、前記携帯端末が前記経路案内を行い且つ前記通信を行わないと仮定して、前記目的地まで経路案内を行う間に前記バッテリの残容量が前記所定容量よりも少なくなるか否か判定する第２判定機能と、前記第１判定機能により肯定判定され且つ前記第２判定機能により否定判定された場合に、前記通信に関する所定の報知を行わせる報知機能と、を前記サーバに実現させることを特徴とする。
【００１５】
上記構成によれば、通信ネットワークに接続されたサーバにインストールされるコンピュータプログラムによって、請求項１に記載の発明と同様の作用効果を奏することができる。
【００１６】
なお、請求項１０〜１２のいずれか１項に記載のコンピュータプログラムを、プログラム記録媒体に記録されたコンピュータプログラムとして実現することもできる。また、請求項１０〜１２のいずれか１項に記載のコンピュータプログラムに対応して、各機能を実行する各工程を備える方法の発明として実現することもできる。
【図面の簡単な説明】
【００１７】
【図１】一実施形態に係る表示装置、携帯端末、及びサーバを示すブロック図。
【図２】ナビゲーション継続制御の処理手順を示すアローチャート。
【図３】変更例に係る表示装置、携帯端末、及びサーバを示すブロック図。
【図４】他の変更例に係る表示装置、携帯端末、及びサーバを示すブロック図。
【図５】変更例に係る表示装置及び携帯端末を示すブロック図。
【発明を実施するための形態】
【００１８】
以下、一実施形態について、図面を参照しつつ説明する。本実施形態は、携帯端末の機能を用いたナビゲーション（経路案内）の画像や音声を、車両に搭載された表示装置により出力させるナビゲーションシステムとして具体化している。
【００１９】
図１に示すように、ナビゲーションシステムは、車両に搭載された表示装置１０、ユーザが所持する携帯端末３０、及び携帯端末３０と通信を行うサーバ５０を備えている。
【００２０】
表示装置１０（車載機器）は、画像表示部１１、音声出力部１２、操作部１３、通信部１４、緊急通報用のＧＰＳ受信機１５ａ、及び制御部１６を備えている。表示装置１０を設ける数は、単数であっても、複数であってもよい。
【００２１】
画像表示部１１は、液晶ディスプレイ、有機ＥＬ（Electro Luminescence）ディスプレイ等により構成されている。画像表示部１１は、車室内において、ユーザが視認可能な位置に設置され、車両の状態や車載機器に関する情報をはじめ、種々の画像を表示する。例えば、携帯端末３０の機能を用いたナビゲーション中では、地図上における車両の現在地、及び現在地から目的地までの経路などを表示する。また、携帯端末３０により実行される機能に応じて、動画や、メール、音楽再生の操作画面等を表示することができる。
【００２２】
音声出力部１２は、スピーカ等により構成され、音楽機器等により再生される音声をはじめ、種々の音声を出力する。例えば、携帯端末３０の機能を用いたナビゲーション中では、地図データ上の施設案内や各種報知のための音声を出力することができる。
【００２３】
操作部１３は、車両のインストルメントパネルに設けられたメカニカルキースイッチや、上記画像表示部１１と一体になったタッチスイッチ等の操作スイッチにより構成されている。ユーザが操作部１３を操作することにより、対象とする機器の状態が操作される。例えば、携帯端末３０の機能を用いたナビゲーション中では、操作部１３の操作により目的地や目的地までの経路の探索条件等を設定することができる。また、携帯端末３０の機能を用いて、表示装置１０により動画や音楽が再生されている場合には、操作部１３の操作により再生態様等を操作することができる。
【００２４】
通信部１４は、車室内のユーザが所持する携帯端末３０との有線通信又は無線通信、及び無線ＬＡＮを使用したＷＡＮ（Wide Area Network、インターネット）との接続を可能とする。有線通信としては、ＵＳＢ等を用いた通信が採用できる。無線通信としては、Bluetooth（登録商標）や、Wi-Fi（登録商標）等の通信方式を採用することができる。通信部１４は、Bluetooth通信部１４ａ及びWi-Fi通信部１４ｂを備えている。携帯端末３０の機能を用いたナビゲーションにおける通信はWi-Fi通信部１４ｂを通じて行われ、携帯端末３０の機能を用いた動画再生や通話はBluetooth通信部１４ａを通じて行われる。
【００２５】
ＧＰＳ受信機１５ａは、ＧＰＳ衛星からＧＰＳ信号を受信して、車両の現在位置を検出する。ＧＰＳ受信機１５ａの検出結果は、Wi-Fi通信部１４ｂを通じて送信可能となっている。ＧＰＳ受信機１５ａは、緊急通報用であり、車載ナビゲーション装置等により常時利用されているものではない。
【００２６】
制御部１６は、ＣＰＵ、ＲＯＭ、ＲＡＭ、記憶装置、Ｉ／Ｏポート、及びこれらを接続するバスライン等からなるコンピュータである。ＣＰＵがＲＯＭや記憶装置に記憶されたプログラムを実行することで、種々の機能を実現する。制御部１６には、車載バッテリが接続されている。制御部１６は、車載バッテリから携帯端末３０のバッテリ３７への充電を制御する充電制御部１６ａを備えている。
【００２７】
携帯端末３０は、画像表示部３１、音声出力部３２、操作部３３、通信部３４、現在位置検出部３５、制御部３６、バッテリ３７、及びバッテリ残容量検出部３８を備えている。携帯端末３０は、例えばスマートフォンや、タブレット端末等である。
【００２８】
画像表示部３１は、液晶ディスプレイ、有機ＥＬ（Electro Luminescence）ディスプレイ等により構成されている。画像表示部１１は、携帯端末３０が実行する機能（アプリケーションソフト）に応じて、種々の画像を表示する。
【００２９】
音声出力部３２は、スピーカ等により構成され、音楽機器等により再生される音声をはじめ、種々の音声を出力する。
【００３０】
操作部３３は、メカニカルキースイッチや、上記画像表示部３１と一体になったタッチスイッチ等の操作スイッチにより構成されている。ユーザが操作部１３を操作することにより、対象とする機能の状態が操作される。
【００３１】
通信部３４は、上記表示装置１０との有線通信又は無線通信、及び無線ＬＡＮを使用したＷＡＮ（インターネット）との接続を可能とする。有線通信としては、ＵＳＢ等を用いた通信が採用できる。通信部３４は、Bluetooth通信部３４ａ及びWi-Fi通信部３４ｂを備えている。携帯端末３０の機能を用いたナビゲーションにおける通信はWi-Fi通信部３４ｂを通じて行われ、表示装置１０を利用した動画再生や通話はBluetooth通信部３４ａを通じて行われる。
【００３２】
現在位置検出部３５は、ＧＰＳ受信機１５ａ及びジャイロセンサ３５ｂを備えている。ＧＰＳ受信機３５ａは、ＧＰＳ衛星からＧＰＳ信号を受信して、携帯端末３０の現在位置を検出する。ジャイロセンサ３５ｂは、携帯端末３０を旋回（回転）させる動作における角速度を検出する。
【００３３】
制御部３６は、ＣＰＵ、ＲＯＭ、ＲＡＭ、記憶装置、Ｉ／Ｏポート、及びこれらを接続するバスライン等からなるコンピュータである。ＣＰＵがＲＯＭや記憶装置に記憶されたプログラムを実行することで、種々の機能を実現する。制御部３６は、後述する充電検出部３６ａ、第１判定部３６ｂ、第２判定部３６ｃ、報知部３６ｄ、機能制御部３６ｅ、及びＧＰＳ切替部３６ｆを備えている。これらの機能は、記憶装置にコンピュータプログラムがインストールされることで実現されている。コンピュータプログラムは、インターネットや、コンピュータプログラムが記録されたプログラム記録媒体を通じて、記憶装置にインストールすることができる。
【００３４】
制御部３６には、バッテリ残容量検出部３８を介して、バッテリ３７が接続されている。バッテリ３７は、リチウムイオン電池等の蓄電池であり、携帯端末３０の各部に電力を供給する。バッテリ残容量検出部３８は、バッテリ３７の残容量を検出して、検出結果を制御部３６へ送信する。上記車載バッテリにバッテリ３７を接続し、上記充電制御部１６ａにより充電を制御することで、バッテリ３７を充電することができる。
【００３５】
サーバ５０は、ＣＰＵ、ＲＯＭ、ＲＡＭ、記憶装置、Ｉ／Ｏ、及びこれらを接続するバスライン等からなるコンピュータである。サーバ５０は、ＷＡＮに接続されており、上記Wi-Fi通信部３４ｂを通じて携帯端末３０と通信可能となっている。サーバ５０は、ＣＰＵがＲＯＭや記憶装置に記憶されたプログラムを実行することで、種々の機能を実現する。サーバ５０は、地図データベース５０ａ及びナビゲーション部５０ｂを備えている。
【００３６】
地図データベース５０ａは、ＤＶＤ装置やハードディスク装置などから構成されており、地図データを記憶している。地図データは、道路データ及び施設等を示す背景データを含んでいる。
【００３７】
ナビゲーション部５０ｂは、上記ＧＰＳ受信機３５ａ（ＧＰＳ受信機１５ａ）や上記ジャイロセンサ３５ｂの検出結果に基づいて、携帯端末３０（車両）の現在位置を算出して目的地までの経路案内を行う。ナビゲーション部５０ｂは、地図データベース５０ａに記憶されている地図データやナビデーションの画像データ等を、ＷＡＮ及びWi-Fi通信部３４ｂを通じて携帯端末３０の制御部３６へ送信する。
【００３８】
携帯端末３０の制御部３６は、Wi-Fi通信部３４ｂ及びWi-Fi通信部１４ｂを通じて、上記地図データやナビゲーションの画像データを、表示装置１０の制御部１６へ送信する。制御部１６は、これらの地図データやナビゲーションの画像データを、画像表示部１１により表示させるとともに、音声出力部１２により音声出力させる。
【００３９】
次に、図２を参照して、携帯端末３０によるナビゲーションを継続できる機会を増加させるナビゲーション継続制御について説明する。この一連の処理は、携帯端末３０の機能を用いたナビゲーションが開始されたことを条件として、携帯端末３０の制御部３６により所定の周期で繰り返し実行される。
【００４０】
まず、携帯端末３０のバッテリ３７を充電中であるか否か判定する（Ｓ１１）。具体的には、バッテリ３７と車載バッテリとの接続状態や、バッテリ残容量検出部３８の検出値に基づいて、バッテリ３７を充電中であるか否か判定する。
【００４１】
上記判定において、携帯端末３０のバッテリ３７を充電中であると判定された場合（Ｓ１１：ＹＥＳ）、この一連の処理を一旦終了する（ＥＮＤ）。一方、上記判定において、携帯端末３０のバッテリ３７を充電中でないと判定された場合（Ｓ１１：ＮＯ）、現在の携帯端末３０の状態で目的地までのナビゲーションを完了可能であるか否か判定する（Ｓ１２）。具体的には、バッテリ残容量検出部３８により検出されるバッテリ３７の残容量、携帯端末３０の消費電力、及び目的地までの到達時間に基づいて、目的地までのナビゲーションを行う間にバッテリ３７の残容量が所定容量よりも少なくなるか否か判定する。所定容量としては、例えば０〜１０％を採用することができる。
【００４２】
上記判定において、現在の携帯端末３０の状態で目的地までのナビゲーションを完了可能でないと判定した場合（Ｓ１２：ＮＯ）、車両に搭載されたＧＰＳ受信機１５ａを利用可能であるか否か判定する（Ｓ１３）。この判定において、車両に搭載されたＧＰＳ受信機１５ａを利用可能であると判定した場合（Ｓ１３：ＹＥＳ）、携帯端末３０のＧＰＳ受信機３５ａを停止させ、車載のＧＰＳ受信機１５ａを利用するように切り替える（Ｓ１４）。具体的には、携帯端末３０のＧＰＳ受信機３５ａを停止させ、車載のＧＰＳ受信機１５ａの検出結果に基づいてナビゲーションを行う。一方、車両に搭載されたＧＰＳ受信機１５ａを利用可能でないと判定した場合（Ｓ１３：ＮＯ）、携帯端末３０のＧＰＳ受信機３５ａの利用を継続する。
【００４３】
続いて、ナビゲーション以外で携帯端末３０が通信中であるか否か判定する（Ｓ１５）。具体的には、制御部３６による機能（アプリケーションソフト）の実行状態、及びBluetooth通信部３４ａによる通信状態に基づいて、ナビゲーションとは異なる機能により携帯端末３０が通信中であるか否か判定する。
【００４４】
上記判定において、ナビゲーション以外で携帯端末３０が通信中であると判定した場合（Ｓ１５：ＹＥＳ）、通信中のアプリケーションの動作状態を記憶する（Ｓ１６）。具体的には、ナビゲーション以外で通信を行っているアプリケーションソフトを特定し、その動作状態を記憶する。なお、Ｓ１２の処理とＳ１５の処理とを入れ替えることも可能であり、その場合には、ナビゲーション以外で携帯端末３０が通信を行っている状態において、現在の携帯端末３０の状態で目的地までのナビゲーションを完了可能であるか否か判定することとなる。
【００４５】
続いて、ナビゲーション以外のアプリケーションソフトによる通信を停止させたと仮定して、目的地までのナビゲーションを完了可能であるか否か判定する（Ｓ１７）。具体的には、バッテリ残容量検出部３８により検出されるバッテリ３７の残容量、ナビゲーション以外のアプリケーションソフトによる通信を停止させたと仮定した場合の携帯端末３０の消費電力、及び目的地までの到達時間に基づいて、目的地までのナビゲーションを行う間にバッテリ３７の残容量が所定容量よりも少なくなるか否か判定する。
【００４６】
上記判定において、ナビゲーション以外での通信を停止させたと仮定しても、目的地までのナビゲーションを完了可能でないと判定した場合（Ｓ１７：ＮＯ）、目的地までのナビゲーションを完了不可能であることをユーザに報知する（Ｓ２０）。具体的には、携帯端末３０の画像表示部３１や表示装置１０の画像表示部１１により、目的地までのナビゲーションを完了不可能であることを表示させる。なお、携帯端末３０の音声出力部３２や表示装置１０の音声出力部１２により、目的地までのナビゲーションを完了不可能であることを音声案内してもよい。そして、この一連の処理を一旦終了する（ＥＮＤ）。
【００４７】
一方、上記判定において、ナビゲーション以外での通信を停止させたと仮定すれば、目的地までのナビゲーションを完了可能であると判定した場合（Ｓ１７：ＹＥＳ）、ナビゲーション以外のアプリケーションソフトによる通信、及びそのアプリケーションソフトを停止させる（Ｓ１８）。具体的には、携帯端末３０のBluetooth通信部３４ａ及び表示装置１０のBluetooth通信部１４ａを通じた通信を停止させ、その通信を行っているアプリケーションソフトを停止させる。
【００４８】
続いて、ナビゲーション以外での通信が停止されたこと、及びその通信を行っているアプリケーションソフトが停止されたことをユーザに報知する（Ｓ１９）。具体的には、携帯端末３０の画像表示部３１や表示装置１０の画像表示部１１により、Bluetooth通信部３４ａ，１４ａを通じた通信が停止されたこと、及び停止されたアプリケーションソフトを表示させる。なお、携帯端末３０の音声出力部３２や表示装置１０の音声出力部１２により、同様の内容を音声案内してもよい。
【００４９】
続いて、目的地までのナビゲーションが完了したか否か判定する（Ｓ２１）。具体的には、ＧＰＳ受信機３５ａ（ＧＰＳ受信機１５ａ）の検出結果に基づいて、ユーザの搭乗した車両（携帯端末３０）が目的地に到達したか否か判定する。なお、Ｓ１２において現在の携帯端末３０の状態で目的地までのナビゲーションを完了可能であると判定した場合、及びＳ１５においてナビゲーション以外で携帯端末３０が通信中でないと判定した場合も、目的地までのナビゲーションが完了したか否か判定する（Ｓ２１）。
【００５０】
上記判定において、目的地までのナビゲーションが完了していないと判定した場合（Ｓ２１：ＮＯ）、この一連の処理を一旦終了する（ＥＮＤ）。一方、上記判定において、目的地までのナビゲーションが完了したと判定した場合（Ｓ２１：ＹＥＳ）、Ｓ１６において記憶され且つＳ１８において停止された通信の停止を解除する（Ｓ２２）。具体的には、Ｓ１８において停止されたBluetooth通信部３４ａ，１４ａを通じた通信を再開させる。なお、Ｓ１８において通信が停止されていない場合、Ｓ２２においては処理を実行しない。
【００５１】
続いて、Ｓ１６において記憶され且つＳ１８において停止されたアプリケーションソフトの停止を解除する（Ｓ２３）。具体的には、Ｓ１８において停止されたアプリケーションソフトを再開させ、Ｓ１６において記憶された動作状態に復帰させる。なお、Ｓ１８においてアプリケーションソフトが停止されていない場合、Ｓ２３においては処理を実行しない。そして、この一連の処理を一旦終了する（ＥＮＤ）。
【００５２】
なお、Ｓ１２及びＳ１５の処理が第１判定部としての処理（第１判定機能）に相当し、Ｓ１４の処理がＧＰＳ切替部としての処理に相当し、Ｓ１７の処理が第２判定部としての処理（第２判定機能）に相当し、Ｓ１８の処理が機能制御部としての処理に相当し、Ｓ１９の処理が報知部としての処理（報知機能）に相当する。
【００５３】
以上詳述した本実施形態は、以下の利点を有する。
【００５４】
・第１判定部３６ｂにより、携帯端末３０がナビゲーション及びナビゲーションとは異なる機能（アプリケーションソフト）による通信を行っている状態において、目的地までナビゲーションを行う間にバッテリ３７の残容量が所定容量よりも少なくなるか否か判定される。また、第２判定部３６ｃにより、携帯端末３０がナビゲーションを行い且つ上記通信を行わないと仮定して、目的地までナビゲーションを行う間にバッテリ３７の残容量が上記所定容量よりも少なくなるか否か判定される。
【００５５】
そして、第１判定部３６ｂにより肯定判定され（ナビゲーション完了不可）且つ第２判定部３６ｃにより否定判定された場合（ナビゲーション完了可）に、ナビゲーションとは異なる機能による通信に関する所定の報知が行われる。このため、目的地までのナビゲーションを行う間に、上記通信を継続するとバッテリ３７の残容量が所定容量よりも少なくなり（Ｓ１２：ＮＯ）、上記通信を停止するとバッテリ３７の残容量が所定容量よりも少なくならない場合（Ｓ１７：ＹＥＳ）に、ナビゲーションとは異なる機能による通信が停止される。このため、目的地までのナビゲーションにおいて、ナビゲーションとは異なる機能による通信を停止すべき状況では、その旨の報知を行った上で通信を停止させることができる。したがって、バッテリ３７の充電を行わない場合であっても、携帯端末３０により目的地までナビゲーションを継続させることができる。
【００５６】
・ナビゲーションとは異なる機能による通信が停止された場合に、通信の停止により実行できなくなった機能が報知される。したがって、通信の停止により実行できなくなった機能を、ユーザが把握することができる。
【００５７】
・携帯端末３０による目的地までのナビゲーションが終了した場合に、上記通信の停止が解除される。したがって、携帯端末３０による目的地までのナビゲーションが終了した場合には、ナビゲーションとは異なる機能による通信を再開させることができる。
【００５８】
・携帯端末３０による目的地までのナビゲーションが終了した場合に、通信の停止により実行できなくなった機能が再開される。したがって、携帯端末３０による目的地までのナビゲーションが終了した場合には、通信を停止させる前の状態に復帰させることができる。
【００５９】
・車両は、緊急通報等のために、ＧＰＳ受信機１５ａを搭載している。そして、携帯端末３０のＧＰＳ受信機３５ａが停止され、車両のＧＰＳ受信機３５ａからの信号に基づいて携帯端末３０によりナビゲーションが行われる。したがって、携帯端末３０の電力消費を抑制することができ、携帯端末３０により目的地までナビゲーションを継続できる機会を増加させることができる。
【００６０】
・携帯端末３０にインストールされるコンピュータプログラムによって、ナビゲーション継続制御を実現させることができる。
【００６１】
上記実施形態を、以下のように変更して実施することもできる。
【００６２】
・図１に破線で示すように、表示装置１０が、ジャイロセンサ１５ｂ、ナビゲーション部１６ｂ、及び地図データベース１９を備える車載ナビゲーション装置であってもよい。ナビゲーション装置を車両が搭載している場合であっても、携帯端末３０によりナビゲーションを行うこともある。このような場合も、車両が備えるＧＰＳ受信機１５ａを、携帯端末３０によるナビゲーションに利用することができる。
【００６３】
・図２において、Ｓ１２の処理と、Ｓ１３及びＳ１４の処理とを入れ替えることもできる。また、Ｓ１３及びＳ１４の処理を省略することもできる。
【００６４】
・図２のＳ１２の処理とＳ１７の処理とを入れ替えることもできる。
【００６５】
・図２において、Ｓ２１〜Ｓ２３の処理を省略することもできる。
【００６６】
・図２のＳ１８において、ナビゲーション以外のアプリケーションソフトで通信を行っていないものも停止させてもよい。
【００６７】
・図２のＳ１８の処理を省略し、Ｓ１９の処理を、ナビゲーション以外での通信を停止させれば目的地までのナビゲーションが可能であることの報知や、ナビゲーション以外での通信を停止させることを推奨する報知に変更してもよい。この場合は、ユーザが自主的に、ナビゲーション以外での通信及び通信を行っているアプリケーションソフトを停止させることができる。
【００６８】
・図３に示すように、充電検出部３６ａ、第１判定部３６ｂ、第２判定部３６ｃ、報知部３６ｄ、機能制御部３６ｅ、及びＧＰＳ切替部３６ｆを、表示装置１０の制御部１６が備えるようにすることもできる。これらの機能は、制御部３６の記憶装置にコンピュータプログラムをインストールすることで実現することができる。そして、制御部３６は、表示装置１０の通信部１４及び携帯端末３０の通信部３４を通じた通信により必要な情報を取得して、図２のＳ１１〜Ｓ２３の処理を実行することができる。
【００６９】
・図４に示すように、充電検出部３６ａ、第１判定部３６ｂ、第２判定部３６ｃ、報知部３６ｄ、機能制御部３６ｅ、及びＧＰＳ切替部３６ｆを、サーバ５０が備えるようにすることもできる。これらの機能は、サーバ５０の記憶装置にコンピュータプログラムをインストールすることで実現することができる。そして、サーバ５０は、携帯端末３０の通信部３４及び表示装置１０の通信部１４を通じた通信により必要な情報を取得して、図２のＳ１１〜Ｓ２３の処理を実行することができる。
【００７０】
・図５に示すように、サーバ５０の地図データベース５０ａ及びナビゲーション部５０ｂを、携帯端末３０の制御部３６が備えるようにすることもできる。
【００７１】
・携帯端末３０の機能を用いたナビゲーション中において、地図上における車両（携帯端末３０）の現在地、及び現在地から目的地までの経路などを、携帯端末３０の画像表示部３１に表示させることもできる。この場合、地図上における車両の現在地、及び現在地から目的地までの経路などを、表示装置１０の画像表示部１１に表示させる必要はなく、携帯端末３０の機能を用いた動画等を表示装置１０に表示させてもよい。また、ユーザが車両に搭乗しておらず、携帯する音楽プレーヤー（機器）と携帯端末３０とで通信を行っている場合であってもよい。これらの場合であっても、図２の一連の処理を実行することにより、携帯端末３０により目的地までナビゲーションを継続できる機会を増加させることができる。
【００７２】
さらに、ナビゲーションにおいて次に曲がる地点までの距離が所定距離よりも長い場合に、画像表示部３１による経路の表示を停止させて、音声出力部３２により音声でナビゲーションを行わせてもよい。こうした構成によれば、ナビゲーションにおいて次に曲がる地点までの距離が所定距離よりも長い場合、すなわち経路の詳細な表示が必要ない場合に、経路の表示が停止されて音声により経路案内が行われる。したがって、携帯端末３０の電力消費を抑制することができ、携帯端末３０により目的地までナビゲーションを継続できる機会を増加させることができる。
【符号の説明】
【００７３】
１０…表示装置（車載機器）、１５ａ…ＧＰＳ受信機、１６…制御部、３０…携帯端末、３５ａ…ＧＰＳ受信機、３６…制御部、３６ｂ…第１判定部、３６ｃ…第２判定部、３６ｄ…報知部、３６ｅ…機能制御部、３６ｆ…ＧＰＳ切替部、３７…バッテリ、５０…サーバ。
【図１】
2014109513.tif 000003
【図２】
2014109513.tif 000004
【図３】
2014109513.tif 000005
【図４】
2014109513.tif 000006
【図５】
2014109513.tif 000007